(57)【要約】      （修正有）【課題】ベルヌーイの定理を用いてマスクレンズの曇り現象を防止することができるシュノーケリングマスクを提供する。【解決手段】水が浸透しないように使用者の顔面部を取り囲むとともに水中で外部が見えるように構成されるゴーグル１１と、一端が着用者の口と連結され、他端は水面外に露出して使用者の呼吸による吸気及び呼気が通過するシュノーケル２１と、ゴーグルとシュノーケルを内部が連通するように連結し、シュノーケルと連結される部位はシュノーケルの内部に所定長さだけ挿入されて突出するように連結される連結管３０とを含み、使用者の呼気がシュノーケルの内部を通過して外部に排出される過程で、連結管の突出した部位を通過するとき、ベルヌーイの定理によってゴーグル内部の湿気が連結管を通過してシュノーケルを通じて外部に排出される。【選択図】図３
0003215517.tif 000002
【実用新案登録請求の範囲】
【請求項１】
水が浸透しないように使用者の顔面部を取り囲むとともに水中で外部が見えるように構成されるゴーグルと、
一端が着用者の口と連結され、他端は水面外に露出して使用者の呼吸による吸気及び呼気が通過するシュノーケルと、
前記ゴーグルと前記シュノーケルを内部が連通するように連結し、前記シュノーケルと連結される部位はシュノーケルの内部に所定長さだけ挿入されて突出するように連結される連結管とを含み、
使用者の呼気が前記シュノーケルの内部を通過して外部に排出される過程で、前記連結管の前記突出した部位を通過するとき、ベルヌーイの定理によって前記ゴーグル内部の湿気が前記連結管を通過して前記シュノーケルを通じて外部に排出されることを特徴とする、シュノーケリングマスク。
【請求項２】
前記連結管の直径は前記シュノーケルの直径と同一であるかそれより小さいことを特徴とする、請求項１に記載のシュノーケリングマスク。
【請求項３】
前記連結管はゴム又はシリコン素材でなることを特徴とする、請求項１に記載のシュノーケリングマスク。
【請求項４】
前記連結管は少なくとも二つ以上であることを特徴とする、請求項１に記載のシュノーケリングマスク。
【請求項５】
前記ゴーグルの内部に貫通して連結される前記連結管の一側は前記ゴーグルの周面に沿って所定長さだけ伸びるように形成されることを特徴とする、請求項１に記載のシュノーケリングマスク。
【考案の詳細な説明】
【技術分野】
【０００１】
本考案はシュノーケリングマスクに関するもので、ベルヌーイの定理を用いてマスクレンズの曇り現象を最小化することができるシュノーケリングマスクに関するものである。
【背景技術】
【０００２】
シュノーケリング（Ｓｎｏｒｋｅｌｉｎｇ）は簡単な装備のみで水面から水深５ｍ前後の水中観光を楽しむことができるレジャースポーツの一種で、別途の潜水技術又はスイミングの実力が必要なく、年齢や体力にかかわらず誰でも簡単に習うことができるので、多くの人々が楽しんでいるレジャー活動である。
【０００３】
シュノーケリングはフィン（Ｆｉｎ）、シュノーケル（Ｓｎｏｒｋｅｌ）、ゴーグルのような簡単な装備のみを着用したまま水深５ｍ前後の浅い所で潜影を楽しむとか水面から頭を上げず顔を水中に浸したままシュノーケルを用いて呼吸することができるので、誰でも簡単に楽しむことができ、シュノーケルによって自由に呼吸することができるので、水面に長時間浮かんでいても体力消耗が多くないという特徴がある。
【０００４】
図１は一般的なシュノーケリング装備を概略的に示す図で、水が浸透しないように目と鼻を取り囲み、水中でも前方が見えるように透明なレンズでなるゴーグル１０と、水中でも自由に呼吸することができるように着用者の口と連結されるシュノーケル２０とからなる。
【０００５】
しかし、従来のシュノーケリング装備は使用者がゴーグル１０を着用して使用する過程で外部と内部の温度差によって湿気が簡単に発生するとか曇り現象などによってレンズの前方が見えなくて使用に不便という題点が発生する。
【考案の概要】
【考案が解決しようとする課題】
【０００６】
本考案は前述したような問題点を解決するためになされたもので、ベルヌーイの定理を用いてマスクレンズの曇り現象を防止することができるシュノーケリングマスクを提供することを目的とする。
【課題を解決するための手段】
【０００７】
このような目的を達成するための本考案の一実施例によるシュノーケリングマスクは、水が浸透しないように使用者の顔面部を取り囲むとともに水中で外部が見えるように構成されるゴーグルと、一端が着用者の口と連結され、他端は水面外に露出して使用者の呼吸による吸気及び呼気が通過するシュノーケルと、前記ゴーグルと前記シュノーケルを内部が連通するように連結し、前記シュノーケルと連結される部位はシュノーケルの内部に所定長さだけ挿入されて突出するように連結される連結管とを含み、使用者の呼気が前記シュノーケルの内部を通過して外部に排出される過程で、前記連結管の前記突出した部位を通過するとき、ベルヌーイの定理によって前記ゴーグル内部の湿気が前記連結管を通過して前記シュノーケルを通じて外部に排出されることを特徴とする。
【０００８】
好ましくは、前記連結管の直径は前記シュノーケルの直径と同一であるかそれより小さいことを特徴とする。
【０００９】
また、好ましくは、前記連結管はゴム又はシリコン素材でなることを特徴とする。
【００１０】
また、好ましくは、前記連結管は少なくとも二つ以上であることを特徴とする。
【００１１】
また、好ましくは、前記ゴーグルの内部に貫通して連結される前記連結管の一側は前記ゴーグルの周面に沿って所定長さだけ伸びるように形成されることを特徴とする。
【考案の効果】
【００１２】
本考案の実施例によれば、シュノーケリングマスクを長時間着用してもゴーグルレンズの曇り現象を最小化することができる効果がある。
【図面の簡単な説明】
【００１３】
【図１】一般的なシュノーケリング装備を概略的に示す図である。
【図２】本考案の一実施例によるシュノーケリングマスクを概略的に示す図である。
【図３】本考案の一実施例によるゴーグル内部の湿気排出原理を説明するための参照図である。
【考案を実施するための形態】
【００１４】
以下、本考案の一実施例を添付図面に基づいて詳細に説明する。また、本考案の説明において、関連した公知の構成又は機能についての具体的な説明が本考案の要旨をあいまいにすることができると判断される場合にはその詳細な説明は省略する。
【００１５】
図２は本考案の一実施例によるシュノーケリングマスクを概略的に示す図である。
【００１６】
図示のように、本考案の一実施例によるシュノーケリングマスクは、ゴーグル１１、シュノーケル２１、及びゴーグルとシュノーケルを連結する連結管３０を含む。
【００１７】
ゴーグル１１は水が浸透しないように使用者の顔面部を取り込み、水中でゴーグル着用者が外部を見ることができるように透明な材質で構成される。ゴーグル１１は、主に目と鼻を取り囲む広さを有する透明な窓と、これを固定するとともに目と鼻の周辺を取り囲む形態で水密を維持するフレームとから構成される。若しくは、ゴーグルは、目、鼻及び口を含む着用者の顔面全体を取り囲むマスク形態にも構成されることができる。
【００１８】
通常、ゴーグルは水密特性を維持することが非常に重要である。このような水密特性を得るための密閉型構造によって、ゴーグルのレンズ部は使用者が着用するときに曇り現象などが発生するため、使用者は着用中に頻繁にゴーグルの着用状態を解除し、レンズ部を洗浄した後に再び着用しなければならない面倒さと不便さがあった。本考案は、このようなゴーグルレンズの湿気又は曇り現象を最小化することができるように、ゴーグル１１の一側面に連結管３０が内部と連通するように連結される構成を提案する。
【００１９】
一方、シュノーケル２１は、使用者が水中で呼吸することができるように、一端が着用者の口と連結され、他端は水面外に露出して使用者の吸気及び呼気が通過するようにする。ここで、シュノーケル２１の他端は異物が流入しないように栓又は屈曲形状に構成されることができる。また、ゴーグルとシュノーケルは一体型に形成されるとか又は別途の締結手段を介して互いに着脱可能に構成されることもできる。
【００２０】
連結管３０はゴーグル１１の一側面とシュノーケル２１の中間部位を連結し、ゴーグル１１とシュノーケル２１の内部が連通するように連結される。ここで、連結管３０においてシュノーケル２１と連結される部位はシュノーケル２１の内部に所定長さだけ挿入されて突出するように構成される。前記連結管３０はシュノーケル２１がゴーグル１１と結合して着用中に離脱しないように一種のゴーグル１１とシュノーケル２１の結合手段の役目をすることができる。
【００２１】
ここで、前記連結管３０の直径は前記シュノーケル２１の直径と同一であるかそれより小さく形成されることもできる。
【００２２】
図３は本考案の一実施例による内部湿気排出原理を説明するための参照図である。
【００２３】
図示のように、連結管３０は一端がゴーグル１１の内部と連通し、他端がシュノーケル２１の内部と連通することにより、ゴーグル１１の内部の湿気がシュノーケル２１を通じて外部に排出されることができる。ここで、連結管３０の他端はシュノーケル２１の内部に突出して連通するので、例えば使用者の呼気が前記シュノーケル２１の内部を通過して外部に排出される過程で前記連結管の前記突出部位を通過するとき、ベルヌーイの定理によって前記ゴーグルの内部の湿気が前記連結管を通過して前記シュノーケルを通じて外部に排出されることができる。
【００２４】
すなわち、シュノーケル２１を着用した使用者が息を吐き出すときに発生する呼気がシュノーケル２１の内部を通過して外部に流れる過程で連結管３０の突出部位を通過するとき、連結管３０の突出部によって狭くなった内部を通過しながら、ベルヌーイの定理によって連結管のＡ領域の圧力がＢ領域の圧力より低くなる。よって、連結管を境界として圧力差が発生することによって自然な吸入力Ｆが発生することができ、このような吸入力Ｆによってゴーグル１１の内部の湿気が連結管を通じてＢ領域からＡ領域に速かに移動することができるようになる。連結管３０を通じて移動したゴーグル内部の湿気は使用者の呼吸（呼気）と一緒にシュノーケルの外部に排出される。
【００２５】
図３では使用者の呼吸のうち呼気（吐き出し）によるゴーグル内部の湿気排出についてのみ示して説明したが、使用者の呼吸のうち吸気（吸い込み）によっても、呼気と同様な原理で、ゴーグル内部の湿気が排出されることができるが、その詳細な説明は省略する。
【００２６】
一方、前記連結管３０はゴム又はシリコン素材から構成されることで、使用者が着用した状態でゴーグルと固着するとともにある程度柔軟な動きを保障するように構成されることが好ましい。
【００２７】
また、説明の便宜上、図２及び図３では一つの連結管３０のみを示して説明したが、ゴーグル内部の湿気排出性能をより向上させるために、連結管は複数で構成されることもできる。
【００２８】
また、図２及び図３では、説明の便宜上、ゴーグル１１の左側一面に連結管３０が形成されたものを例示的に示したが、連結管３０は図面に限定されず、右側、上面又は下面の一側に形成されても関係ない。また、ゴーグルの左右レンズ部に生じる曇り現象を均一に除去するため、ゴーグルの左側一面の内部を貫通して連結される前記連結管の一側は前記ゴーグルの周面に沿って所定長さだけ伸びてゴーグルの右側部位まで至るように構成することもできる。
【００２９】
本考案の明細書に開示した実施例は本考案を限定するものではない。本考案の範囲は下記の実用新案登録請求範囲によって決定されなければならなく、それと均等な範囲内の全ての技術も本考案の範囲に含まれるものと解釈しなければならないであろう。
【符号の説明】
【００３０】
１０、１１    ゴーグル
２０、２１    シュノーケル
３０          連結管
Ｆ            吸入力
【図１】
0003215517.tif 000003
【図２】
0003215517.tif 000004
【図３】
0003215517.tif 000005